(57)【特許請求の範囲】
【請求項１】
軽量気泡コンクリートパネルの端部をリブ付受金具に載置し、該リブ付受金具のリブ部分を鉄骨Ｈ型梁に固定した床構造であって、
前記鉄骨Ｈ型梁のウエブに、軽量気泡コンクリートパネル載置部分を横片とする長尺のＬ型金具であり且つ該長尺状のＬ型金具の縦片の頂部が前記鉄骨Ｈ型梁の上面と同一高さとなり、さらに、軽量気泡コンクリートパネルを載置したとき該軽量気泡コンクリートの下面が該鉄骨Ｈ型梁の上面よりも低くなるようにリブ付受金具のリブ部分が固定され、
該リブ部分は、Ｌ型金具の横片の先端縁まで延設されて当該横片を基端から先端に亘って支持すると共に該横片に支持される軽量気泡コンクリートパネルの端部を支持し、且つ、該横片の先端部から前記鉄骨Ｈ型梁の下部に向かうにつれて縁部が前記鉄骨Ｈ型梁のウエブに近接する傾斜状に形成され、さらに、前記Ｌ型金具の縦片に対向する位置及び傾斜状の縁部の下端部と対向する位置が前記ウェブにボルト締結されており、
目地となる該軽量気泡コンクリートパネルの小口面全面と該鉄骨Ｈ型梁上面全面との間にモルタルが充填され、
さらに、該目地および該軽量気泡コンクリートパネルの上面の全面に増打モルタルが打設された
ことを特徴とする床構造。
【発明の詳細な説明】
【０００１】
【発明の属する技術分野】
本発明は軽量気泡コンクリートパネルを用いた鉄骨系住宅の重量床衝撃音の遮断性能に優れた上階の床構造に関する。
【０００２】
【従来の技術】
近年、一般住宅において上階で発生する重量床衝撃音が下階に伝播するのを抑制するために、床パネルとその目地との全上面にモルタルを打設している。軽量気泡コンクリートパネルを用いた鉄骨系住宅の上階の床構造の主要部分は図４に示すようにＨ型梁５６の上面に軽量気泡コンクリートパネル５１を載置し、そのパネル間の隙間にモルタル５９を挿入し目地とし、更にその上面全体に増打モルタル６０を打設している。そしてその表面はフローリングで仕上げられている。なお、天井側はＨ型梁から野縁等を介して石膏ボードを吊り、これにクロスを貼り仕上げられていた。
【０００３】
さらに高い性能を要求される場合、上面のモルタルを厚くしないでその効果を発揮させる方法として目地部分において軽量気泡コンクリートパネルとＨ型梁と目地モルタルを一体化させ、この部分を剛体化させる方法が知られている。しかしながらＨ型梁５６とモルタル５９と軽量気泡コンクリートパネル５１との関係が上記構造では、目地になる軽量気泡コンクリートパネル５１間の隙間にモルタルを完全に充填させることが作業上難しい上に、Ｈ型梁５６とモルタル５９の付着面積が少ないためＨ型梁５６と軽量気泡コンクリートパネル５１との一体性は極めて乏しかった。
【０００４】
その結果、上面のモルタルを厚くしないでその性能を高めることができなかった。
【０００５】
【発明が解決しようとする課題】
本発明は、階上で発生する重量床衝撃音が下階に伝播するのを遮断するために、床天井間の寸法を従来より大にすることなく、かつ従来以上の遮断性能を発揮できる構造として目地部分のＨ型梁と軽量気泡コンクリートパネル、特にＡＬＣパネルとの一体化した構造を有する床構造を提供することを目的としている。
【０００６】
【発明を解決するための手段】
上記課題を解決するための本発明の床構造の特徴は、軽量気泡コンクリートパネルの端部をリブ付受金具に載置し、該リブ付受金具のリブ部分を鉄骨Ｈ型梁に固定した床構造であって、前記鉄骨Ｈ型梁のウエブに、軽量気泡コンクリートパネル載置部分を横片とする長尺のＬ型金具であり且つ該長尺状のＬ型金具の縦片の頂部が前記鉄骨Ｈ型梁の上面と同一高さとなり、さらに、軽量気泡コンクリートパネルを載置したとき該軽量気泡コンクリートの下面が該鉄骨Ｈ型梁の上面よりも低くなるようにリブ付受金具のリブ部分が固定され、該リブ部分は、Ｌ型金具の横片の先端縁まで延設されて当該横片を基端から先端に亘って支持すると共に該横片に支持される軽量気泡コンクリートパネルの端部を支持し、且つ、該横片の先端部から前記鉄骨Ｈ型梁の下部に向かうにつれて縁部が前記鉄骨Ｈ型梁のウエブに近接する傾斜状に形成され、さらに、前記Ｌ型金具の縦片に対向する位置及び傾斜状の縁部の下端部と対向する位置が前記ウェブにボルト締結されており、目地となる該軽量気泡コンクリートパネルの小口面全面と該鉄骨Ｈ型梁上面全面との間にモルタルが充填され、さらに、該目地および該軽量気泡コンクリートパネルの上面の全面に増打モルタルが打設された床構造である。これにより、モルタルと軽量気泡コンクリートパネル、モルタルと鉄骨Ｈ型梁の接着面積を増大せしめることが可能になり、そしてＨ型梁にリブ付受金具が直接固定されたことで軽量気泡コンクリートパネルとＨ型梁との一体性が改善され、その結果床構造の床衝撃に対するインピーダンスを高めることができる。
【０００７】
また、構造を軽量気泡コンクリートパネルの下面が該Ｈ型梁の上面よりも低くしたことで、Ｈ型梁と軽量気泡コンクリートパネルとの間にモルタルが挟まった状態になり一体性がより改善される。また、構造を該リブ付受金具の該軽量気泡コンクリートパネル載置部分が長尺のＬ型金具であり、該リブ付受金具のリブ部分を該Ｈ型梁のウエブに固定したことで、リブ付受金具のＬ型金具の縦片およびリブ部分が固定されたＨ型梁のウエブを含めて一体化でき、軽量気泡コンクリートパネルとＨ型梁とはより一層一体性が改善される。
【０００８】
また、上記床構造の該目地と該軽量気泡コンクリートパネルとの上面の全面にモルタルを打設することにより、更に一体性が確実になるだけでなく、打設の厚さに比例して重量床衝撃音遮断性能が改善される。
【０００９】
【発明の実施の形態】
本発明の実施の形態を図面で説明する。図１は本発明の床構造の主要部分の１例の断面図、図２は図１のＨ型梁とリブ付受金具との関係を示す斜視図、図３は本発明の床構造を用いた床全体の構成を示す実施例の図、図４は本発明の図１に比した従来技術の床構造の主要部分の断面図である。
【００１０】
図１、図２について説明する。Ｈ型梁６は本発明の床構造の床梁である。このＨ型梁６のウエブ７に固定されるリブ付受金具は、ウエブに当接固定されるリブ部分の取付面５を有し、この取付面５から直角方向にリブ部分のリブ３、そのリブ３の上に軽量気泡コンクリートパネル１の端部を載置できる長尺のＬ型金具４が一体になっている。このＬ型金具４の方向はＨ型梁６に平行である。
【００１１】
軽量気泡コンクリートパネル１はその端部がＬ型金具４の横片に載置される。このとき軽量気泡コンクリートパネル１の小口面とＬ型金具４の縦片とはモルタル９が容易に完全に充填される間隙（例えば流し込めることができる程度に）にするのがよい。軽量気泡コンクリートパネル１とリブ付受金具２とＨ型梁６の位置関係を上記のようにして配置したのち、モルタル９を図１に示すように目地部分に充填する。このとき軽量気泡コンクリートパネル１の小口面１１に前処理としてプライマー塗布を行うと、小口面１１とモルタル９の付着性を上げることができる。
【００１２】
なお、モルタル９は通常の現場練モルタルが使用される。上記構成にすることによって、軽量気泡コンクリートパネル１とリブ付受金具２とＨ型梁６が従来技術記載の構成よりもより確実な一体化が可能になる。特にリブ付受金具２の介在により軽量気泡コンクリートパネル１とＨ型梁６が剛体化でき重量床衝撃音遮断性能を高めることができる。
【００１３】
上記軽量気泡コンクリートパネル１と目地であるモルタル９部分の全体上面にモルタル１０の層を設けることにより、またその層の厚さを調節することにより所望の重量床衝撃音遮断性能が得ることができる。ここで使用する増打モルタル１０は通常のセルフレベリング材でもよいし、現場練モルタルでもよい。
【００１４】
［実施例］
図３に示した床構造で重量床衝撃音遮断性能試験を行った。この床構造は図１に示した構造の上面に上層部１２としてポリスチレンフォーム（厚さ４０ｍｍ）、合板（厚さ１５ｍｍ）、床暖房用パネル（厚さ１２ｍｍ）、フローリング（厚さ１３ｍｍ）を接着剤で全面接着した。また、Ｈ型梁の下の下層部（天井側）は野縁などを介してグラスウール（厚さ５０ｍｍ）が載った石膏ボード（厚さ９．５ｍｍ）が吊られている。なお、一部防振吊金具（図には表示せず）で石膏ボードを吊っている。
【００１５】
また、軽量気泡コンクリートパネル１は厚さ１００ｍｍ、モルタル９は現場練モルタル、１０はセルフレベリング材で２０ｍｍの厚さになっている。Ｈ型梁は高さ２５０ｍｍ、上面断面幅１００ｍｍ、リブ付受金具２の取付面５の高さ１７５ｍｍ、Ｌ型金具４の断面は縦片、横片共に幅７５ｍｍである。この縦片の頂部とＨ型梁６上面とは同一高さになっている。縦片と軽量気泡コンクリートパネルの小口面の間隔は１０ｍｍになっている。リブ付受金具２のピッチは５００ｍｍ間隔になっている。
【００１６】
部屋の大きさは８畳、３階建住宅で試験した。試験方法、評価方法はＪＩＳＡ １４１８、１４１９に従った。３階の部屋に重量床衝撃音発生器で床に衝撃を加えたとき、受音室になる２階の部屋に発生する床衝撃音を測定した。その測定は中心周波数６３〜４０００Ｈｚの７段階とした。測定値は表１に比較例とあわせて示す。なお、２５０Ｈｚ以上の試験結果は、実施例、比較例共に遮音等級ＬＨが５０程度であったので表１ではデータの記載は省略した。
【００１７】
結果は表１に示したように、重量床衝撃音遮断性能（各中心周波数の測定の遮音等級の最大値）はＬＨ５２であった。すなわち、従来では重量床衝撃音遮断性能はＬＨ６５〜６０程度が限界であったのが、ＬＨ５５以下にできたのである。なお、増打モルタル１０の上の上層部１２は設けなくても、重量床衝撃音遮断性能ＬＨに変化はなかった。
【００１８】
［比較例］
図３に示した図１の部分を図４の構成に置き換えた。すなわち、リブ付受金具は使用しないで、軽量気泡コンクリートパネルをＨ型梁の上面に直接載置し、軽量気泡コンクリートパネル間隔を２０ｍｍにして、ここにモルタルを充填した。その他は実施例と同一構成にした。
【００１９】
実施例と同じ試験をした結果、重量床衝撃音遮断性能はＬＨ５９であった。
【００２０】
【表１】
0004278224.tif 000002
【００２１】
【発明の効果】
本発明によれば、従来では得られなかった重量床衝撃音遮断性能を達成することができた。
【図面の簡単な説明】
【図１】本発明の構造の１例の断面図。
【図２】図１のＨ型梁とリブ付受金具との関係を示す斜視図。
【図３】本発明の床構造を用いた床全体の構成を示す実施例の断面図。
【図４】従来技術の構造の１例の断面図。
【符号の説明】
１                軽量気泡コンクリートパネル
２                リブ付受金具
３                リブ
４                Ｌ型金具
５                取付面
６                Ｈ型梁
７                ウエブ
９                モルタル
１０              増打モルタル
１１              小口面
１２              上層部
５１              軽量気泡コンクリートパネル
５６              Ｈ型梁
５９              モルタル
６０              増打モルタル
【図１】
0004278224.tif 000003
【図２】
0004278224.tif 000004
【図３】
0004278224.tif 000005
【図４】
0004278224.tif 000006